(57)【要約】【課題】電子番組表に番組情報を表示する際に、必要な情報を見落とす場合があった。【解決手段】テレビ受像機１００において、アンテナ１０１・１０２又は通信回線（電話回線、ＬＡＮ）からの入力信号を（番組抽出）分離部１０７へ入力し、映像情報と番組情報とを分離する。番組情報は、適宜、不揮発性メモリ１２０に保存される。番組情報のうちの番組名の部分は、番組情報処理部１２３において括弧等の特定の文字の有無を検出し、番組名文字列データの分割を行い、分割された分割文字列データを不揮発性メモリ１２０に保存する。リモコン装置からのユーザのカーソル操作などによって、一定時間以上同じ番組名上にカーソルがとどまっている場合には（フォーカスがあたっている場合には）、不揮発性メモリ１２０に保存された分割文字列データを ＯＳＤ処理部１１０において読み込み、映像信号に重畳するなどして、分割された複数の文字列データを交互に液晶表示パネルに表示する。【選択図】図１
2008017297.tif 000002
【特許請求の範囲】
【請求項１】
複数の文字コードを含む番組情報を受信し、受信した該番組情報から前記文字コードに対応する文字列を生成して電子番組表に表示する機能を有する受信装置であって、
前記番組情報を構成する文字列を区切る特定の文字コードがある場合に、該文字コードにより前記文字列を複数の文字列に分割し、分割されたそれぞれの前記文字列を前記電子番組表の対応する番組の表示領域に表示する表示文字列候補とすることを特徴とする受信装置。
【請求項２】
前記表示文字列候補が１つの番組情報から分割されたものであるか否かを識別する１つの番組情報毎にユニークな識別子により前記表示文字列候補を互いに関連付けて記憶する記憶部を有することを特徴とする請求項１に記載の受信装置。
【請求項３】
前記記憶部に記憶され前記ユニークな識別子により識別される前記表示文字列候補を、前記表示領域に順次表示する制御を行うことを特徴とする請求項２に記載の受信装置。
【請求項４】
前記順次表示する処理を、前記表示領域に対する特定のイベントに基づいて行わせることを特徴とする請求項３に記載の受信装置。
【請求項５】
前記特定のイベントの発生を検出した時点からの計時を行うタイマを備え、該タイマによる計時が所定の時間に達した場合に、前記表示文字列候補から選択された分割された文字列を切り替えて表示することを特徴とする請求項４に記載の受信装置。
【請求項６】
前記表示領域に表示されている文字列が、前記表示文字列候補のうちの１つであるか否かを識別可能とすることを特徴とする請求項１から５までのいずれか１項に記載の受信装置。
【請求項７】
前記表示文字列候補の総文字数と、前記表示領域のサイズとに基づいて、総文字数が全て入りきるかどうか判別する手段を備えることを特徴とする請求項１から６までのいずれか１項に記載の受信装置。
【請求項８】
前記判別する手段により、入り切らないと判断された場合は、文字サイズを小さくして全ての文字を番組タイトル表示領域に表示することを特徴とする請求項７に記載の受信装置。
【請求項９】
前記判別する手段により、入り切らないと判断された場合は、番組タイトル表示領域を複数段表示にして複数の表示文字列候補を表示することを特徴とする請求項７に記載の受信装置。
【請求項１０】
前記特定の文字コードの種別により、表示に関する優先順位を設定しておく設定手段を備えることを特徴とする請求項１から９までのいずれか１項に記載の受信装置。
【請求項１１】
複数の文字コードを含む番組情報から前記文字コードに対応する文字列を生成して電子番組表に表示する電子番組表作成装置であって、
前記番組情報を構成する文字列を区切る特定の文字コードがある場合に、該文字コードにより前記文字列を複数の文字列に分割し、分割されたそれぞれの前記文字列を前記電子番組表の対応する番組の表示領域に表示する表示文字列候補とすることを特徴とする電子番組表作成装置。
【請求項１２】
前記表示文字列候補を、前記表示領域に順次表示する制御を行うことを特徴とする請求項１１に記載の電子番組表作成装置。
【発明の詳細な説明】
【技術分野】
【０００１】
本発明は、受信装置における電子番組表の表示技術に関し、特に、電子番組表を受信装置の表示部に表示する際に電子番組表の表示領域の限られた範囲内において、できるだけ重要な情報を表示させる技術に関する。
【背景技術】
【０００２】
近年、デジタル放送などの多チャネル放送に適した番組表であって、ユーザにとっても使い勝手の良い番組表として、電子番組表（ＥＰＧ）が盛んに利用されている。電子番組表は、各番組のタイトル、詳細情報、放送時間、チャネル、番組のカテゴリ等の情報を含むのが一般的である。このようなＥＰＧは、時間軸と放送局軸によるマットリックス形式でリスト表示されるのが一般的である。
【０００３】
図１１は、一般的なＥＰＧの表示例を示す図である。白抜きの矢印で示される１６１チャネルにおいて、“年末洋画アンコール劇場「ス…”との表示がされており、この表示から、番組のタイトルさえも見ることができない。この場合の番組情報は、実際には“年末洋画アンコール劇場「スターウォーズ２」”である場合に、肝心の番組タイトル「スターウォーズ２」が表示されておらず、ユーザにとっては“年末洋画アンコール劇場”よりも重要な情報である「スターウォーズ２」が見えなくなっている。
【０００４】
そこで、従来から、ある番組情報に例えば「」などの特定の文字コードで囲まれた文字列などがある場合には、例えば、この「」に基づいて文字列のうちの抽出範囲を決定するような方式がとられている。例えば、図１２に示すように、「」内の文字列をまず表示するようにする方法がある。この方法によれば、「」内の文字列であるスターウォーズ２が電子番組表に表示されるように工夫されている（例えば、特許文献１〜３まで参照）。
【０００５】
番組情報のうち「」で囲まれていることにより重要であると推定される文字列を電子番組表に表示させることができ、ユーザに対して重要な情報を優先的に報知することができる。
【０００６】
【特許文献１】特開平１１−２６１９７６号公報
【特許文献２】特開２００５−２２３９４０号公報
【特許文献３】特開２００５−２２９６３５号公報
【発明の開示】
【発明が解決しようとする課題】
【０００７】
上記特許文献１〜３までによれば、ある番組情報から、特定の文字コード(例えば“「」”)から抽出範囲を決定し、その抽出した文字列を番組表の所定領域に表示するようにしている。
【０００８】
しかしながら、この方法では、抽出後の結果しか表示されないため、抽出されなかったタイトル部分に、ユーザが真に必要とする情報が入っていた場合には対応できないという問題がある。また、抽出された結果のみしか表示されないため、関連する情報が表示されず分かりにくいという問題がある。さらに、１つの番組タイトルに「」や()などの特定の文字コードを持つ文字列が複数入っている場合に関する考慮がされていないという問題がある。
【０００９】
本発明は、上記問題点を解決し、電子番組表内の限られたエリアで、ユーザのより知りたい情報を表示することを目的とする。
【課題を解決するための手段】
【００１０】
本発明の一観点によれば、複数の文字コードを含む番組情報を受信し、受信した該番組情報から前記文字コードに対応する文字列を生成して電子番組表に表示する機能を有する受信装置であって、前記番組情報を構成する文字列を区切る特定の文字コードがある場合に、該文字コードにより前記文字列を複数の文字列に分割し、分割されたそれぞれの前記文字列を前記電子番組表の対応する番組の表示領域に表示する表示文字列候補とすることを特徴とする受信装置が提供される。
【００１１】
上記受信装置によれば、番組情報に含まれる特定の文字コードによって番組情報を区切り、この区切りに基づいて分割することにより、番組情報を複数の表示文字列候補の群を作成することができる。
【００１２】
前記表示文字列候補が１つの番組情報から分割されたものであるか否かを識別する１つの番組情報毎にユニークな識別子により前記表示文字列候補を互いに関連付けて記憶する記憶部を有することが好ましい。１つの番組情報から分割された表示文字列候補であるか否かを識別することで管理を容易にし、表示の際に１つの番組情報に対応する番組の表示領域に表示する表示文字列候補として整理しておくことができる。
【００１３】
前記記憶部に記憶され前記ユニークな識別子により識別される前記表示文字列候補を、前記表示領域に順次表示する制御を行うことが好ましい。これにより１つの番組情報から得られた表示文字列候補を全て表示することができるため、見落としなどがなくなる。
【００１４】
前記順次表示する処理を、前記表示領域に対する特定のイベントに基づいて行わせることも可能である。これにより、ユーザの意志で表示文字列候補を切り替えて表示させることができる。
【００１５】
前記特定のイベントの発生を検出した時点からの計時を行うタイマを備え、該タイマによる計時が所定の時間に達した場合に、前記表示文字列候補から選択された分割された文字列を切り替えて表示することが好ましい。また、前記表示領域に表示されている文字列が、前記表示文字列候補のうちの１つであるか否かを識別可能とすることが好ましい。
【００１６】
前記表示文字列候補の総文字数と、前記表示領域のサイズとに基づいて、総文字数が全て入りきるかどうか判別する手段を備えていれば、例えば、前記判別する手段により、入り切らないと判断された場合は、文字サイズを小さくして全ての文字を番組タイトル表示領域に表示することも可能であり、前記判別する手段により入り切らないと判断された場合は、番組タイトル表示領域を複数段表示にして複数の表示文字列候補を表示することも可能である。
【００１７】
さらに、前記特定の文字コードの種別により、表示に関する優先順位を設定しておく設定手段を備えていても良い。
【００１８】
また、複数の文字コードを含む番組情報から前記文字コードに対応する文字列を生成して電子番組表に表示する電子番組表作成装置であって、前記番組情報を構成する文字列を区切る特定の文字コードがある場合に、該文字コードにより前記文字列を複数の文字列に分割し、分割されたそれぞれの前記文字列を前記電子番組表の対応する番組の表示領域に表示する表示文字列候補とすることを特徴とする電子番組表作成装置が提供される。このような装置を含んでいれば、本願発明の範疇に入るものとする。
【発明の効果】
【００１９】
本発明によれば、番組情報を括弧などの特定の記号により分割し、記憶しておくことで、番組情報をある単位毎に整理することができる。また、このようにして分割し整理した番組情報の分割文字列を、上記記憶に基づいて表示制御することで、種々の表示を行わせることができる。
【００２０】
従って、例えば、番組表表示において、ユーザの知りたいと思われる情報を優先的に表示し、それをユーザが認識し易いようにすることができる。また、情報に関して表示されないことによる漏れがないようにすることができる。
【発明を実施するための最良の形態】
【００２１】
以下に、本発明の一実施の形態による電子番組表の表示技術について、ＥＰＧ機能を有するテレビ受像機（以下、受像器→受像機として下さい）を例にして図面１〜１２を参照しながら説明を行う。図１は、本発明の実施形態に係るテレビ受像機の全体構成を示す構成図である。本実施の形態によるテレビ受像機１００においては、アンテナ１０１・１０２又は通信回線（電話回線、ＬＡＮ）からの入力信号を（番組抽出）分離部１０７へ入力し、映像情報と番組情報とを分離する。番組情報は、適宜、不揮発性メモリ１２０に保存される。番組情報のうちの番組名の部分は、番組情報処理部１２３において括弧等の特定の文字の有無を検出し、番組名文字列データの分割を行い、分割された分割文字列データを不揮発性メモリ１２０に上記番組情報と対応付けして保存する。
【００２２】
リモコン装置からのユーザのカーソル操作などによって、一定時間以上同じ番組名上にカーソルがとどまっている場合には（フォーカスがあたっている場合には）、不揮発性メモリ１２０に保存された分割文字列データを ＯＳＤ処理部１１０において読み込み、映像信号に重畳するなどして、分割された複数の文字列データを例えば時間的に交互に液晶表示パネルに表示することができる。その他の部材については、一般的なものであるため、説明を省略する。
【００２３】
図２は、上記リモコン装置のキー操作部の配置例を示す図である。図２に示す操作ボタンのうち、メニュー操作に用いられるリモコンボタンは、ＥＰＧ表示などのメニュー画面の表示の入／切を行うメニューボタン２０１と、メニュー表示におけるフォーカス位置を上下左右に移動させる方向キー２０２〜２０５と、現在においてフォーカスがあたっている領域の処理を実行するための決定ボタン２０６と、メニュー表示を終了するための終了ボタン２０７と、を有している。
【００２４】
図３及び図４は、番組タイトルの表示方法をリモコン装置により設定する手順を示す図である。図２も適宜参照する。まず、メニューボタン２０１を押してメニュー画面３０１を表示させた状態において、「本体設定」３０３−「番組タイトル表示方法」３０５を選び、決定ボタン２０６（又は図３の３０１）を押す。すると、番組タイトル表示方法として、例えば、図４に示すように、交互表示４０１、フォントサイズ変更４０３、複数行表示４０５の３通りの選択肢が提示される。ここで、リモコン装置の方向キーと決定キーとにより、例えば「交互表示」４０５を選択し決定する。
【００２５】
図５は、本発明の第１の実施の形態による電子番組表の表示処理の流れを示すフローチャート図である。図５に示すように、本実施の形態によれば、まず、ステップＳ１において電子番組表の表示処理を開始する。ここで、番組情報データベースＸから番組情報を取得し、ステップＳ２において、取得した番組名などの番組情報中に括弧などの文字列を区切る特定の記号等があるか否かを判定する。括弧などが存在する場合には（Ｙｅｓ）、ステップＳ３に進み、番組名文字列データを分割し、分割されたデータ毎にメモリに記憶する。このメモリの分割データに基づいて、例えば括弧内の文字列を先頭にするなどの並び替えを行いステップＳ４に進む。ステップＳ２で括弧がない場合には（Ｎｏ）ステップＳ４に進む。ステップＳ４においては、表示エリアに文字列が入りきるか否かを、例えば表示エリアのサイズと分割された文字列のサイズとを比較することにより判定し、分割された文字列が表示領域内に入りきると判定された場合には（Ｙｅｓ）ステップＳ５に進み、分割された番組名文字列データを表示領域に表示させる。ステップＳ４において、表示エリア内に分割された文字列であっても入りきらないと判断された場合には（Ｎｏ）、ステップＳ６に進み、分割された文字列の末尾を例えば「…」のようにさらに情報が存在することをユーザに知らせる記号を付した後、ステップＳ５において「…」を有する文字列を表示エリアに表示させる（図８（ａ）参照）。尚、「…」表示に代えて、例えばフォントサイズを小さくした分割文字列の末尾を表示させるようにしても良い。このようにすれば、ユーザが良くみれば、何が表示されているかを判断することができるため、「…」表示を行う場合よりも多くの情報を得ることができる（図８（ｂ）参照）。
【００２６】
これにより、ユーザは、括弧内に記載されている可能性が高い最も重要な情報、例えば番組のタイトルだけを見ることができるという利点がある。番組情報の分割と分割した状態でのメモリへの記憶処理を行うことにより、ユーザは、他の情報がみたい場合には、順次表示を切り替えて、分割された文字列情報を見ていくことができる。
【００２７】
次に、本発明の第２の実施の形態による電子番組表の表示処理技術について図面を参照しながら説明を行う。図６は、本実施の形態による電子番組表の表示処理の流れを示すフローチャート図であり、図５に示すフローチャート図に加えて、分割された番組上方の表示に関する処理を加えたものである。図７は、図６に示す処理による具体的な表示例を示す図である。まず、ステップＳ１１において、電子番組表表示処理を開始する。次いで、番組情報データベースＹから番組情報を取得し、この取得した番組情報に括弧などの特定の文字列が存在するかどうかを判定する（ステップＳ１２）。括弧が存在しない場合には（Ｎｏ）、ステップＳ１５において番組名文字列データを分割せずに番組情報分割文字列保存データベースＺ内に格納し、ステップＳ１４に進む。
【００２８】
ステップＳ１２において括弧がある場合には（Ｙｅｓ）、ステップＳ１３において括弧の位置に基づいて番組情報を分割し、番組情報分割文字列保存データベースＺ内に格納し、ステップＳ１４に進む。例えば、図７（１）の『年末洋画アンコール劇場「スターウォーズ２」[字幕スーパー]』という番組情報であれば、図７（２）に示すように、「年末洋画アンコール劇場」、「スターウォーズ２」、「字幕スーパー」の３つに分割することができる。この際、関連付けわかるように、ＩＤ：００１などの１つの番組上方から分割された文字列であることを識別するための番号を付与しておくことで、分割された情報の管理が行いやすくなる。このようにすると、表示方法の切り替えを可能にしつつ種々の表示を行うことができる。
【００２９】
次いで、ステップＳ１４において、括弧から抽出した文字列（分割文字列１）を番組欄に表示し、ステップＳ１６において、ユーザのカーソル操作を待ってステップＳ１７に進み、操作時からタイマーによる計時を開始する（タイマースタート）。ステップＳ１８において、ユーザのカーソル操作が一定時間以上とどまったかどうかを判定し、一定時間以上とどまった場合には（Ｙｅｓ）カーソル操作が止まったと判断しこれをトリガーとしてステップＳ１９に進み、分割された番組情報が表示領域にそのままの状態で表示しきれるかどうかを、表示領域の大きさとフォントの大きさ、文字数に基づいて判定する。表示領域に入りきるか否かの判定された場合には（Ｙｅｓ）、ステップＳ２４に進み、そのまま番組名を表示させる。
【００３０】
ステップＳ１９において、表示領域内にそのままでは入りきらないと判定されると（Ｎｏ）、ステップＳ２０において図３、４で説明したメニュー設定に基づいて、図では３通りのうちのいずれかの処理が行われる。
【００３１】
縮小表示の設定がなされていた場合には、図８（ｂ）に示すように、フォントサイズを小さくし、全てのタイトル文字が表示されるようにする（ステップＳ２１）。複数段表示が設定されている場合には、分割文字列（１）、（２）、（３）のそれぞれを異なる段に表示させて複数段にわたってタイトル文字を表示させる（ステップＳ２２：表示領域の分割：図９（ｂ）に例示）。交互表示の設定がなされている場合には、分割文字列（１）、（２）、（３）のそれぞれを交互に表示領域に表示させる（ステップＳ２３：自分割表示：図９の（ｃ）に例示）。表示領域の分割、時分割表示とも、必ずしも同じ重み（領域の広さ、表示時間）で表示する必要はなく、優先度・重要度に基づいて、これらが高いものをユーザが良く見えるように表示させることもできる。分割した表示のうち優先度・重要度をどのように設定するかは括弧の有無を第１に、次いで、文字数が多い文字列は、番組の説明に関する情報である場合が多いことなどを考慮して、文字列に含まれる文字数の少ない表示を優先させるのが好ましい。いずれの場合でも、表示領域を選択し、視聴又は録画予約などの処理に関する決定を行うことで、処理を進めることができる。
【００３２】
以上に説明したように、本実施の形態による番組情報表示技術によれば、表示領域に入りきらない番組情報を、予め設定しておいた分割表示方法（時分割、表示領域の分割）を行うことにより、情報に関する表示漏れがないようにすることができる。特に、電子番組表を受信装置等の表示部に表示する際に、電子番組表の表示可能領域の限られた範囲内において、できるだけ重要な情報を表示することができるという利点を有する。
【実施例１】
【００３３】
図１０は、本発明の第１実施例によるＥＰＧ表示の一例を示す図である。図１０に示す電子番組表では、現在、大相撲春場所１０００を視聴又は録画中である。その他のチャネルは裏番組を放送している。ここで、上記のように『年末洋画アンコール劇場「スターウォーズ２」[字幕スーパー]』を裏番組として見たい場合には、この表示領域１００３にカーソルを合わせる。すると、番組情報は分割され、年末洋画アンコール劇場１００５、スターウォーズ２（１００７）、字幕スーパー１００８の３つの文字列に分割される。現在、スターウォーズ２（１００７）が表示（１００３）されており、図１０には表示されていないが、他の情報があることをユーザに知らせる何らかの表示がなされている。この状態で、ある規定のアクション、例えばリモコン装置のカーソルをこの表示範囲で行方向に移動（ドラッグ）させ一定時間が経過すると、分割された文字列が順次切り替わるように制御される（１００５−１００７−１００８）。従って、ユーザは、分割された番組情報を大きく見ることができるとともに、他の番組情報に関しても簡単な操作で確認することができる。
【００３４】
尚、各文字の表示の順序に関しては、括弧内の文字を優先させても良いし、括弧の種別などにより適宜、表示に関する優先順位を予め設定しておくようにしても良い。例えば、タイトル名と推定される文字列を優先的に表示させたり、フォントサイズを大きくして表示させたりすることも可能である。また、文字列を抽出し分割した処理の結果として表示されている一部の文字列であることがユーザにも分かるように、アイコンまたは文字色を変更するようにしても良い。すなわち、抽出されなかった部分をユーザのカーソル操作が止まったことをトリガーにして表示させ、かつ、表示されていない部分があることを  １）番組名または番組名表示エリアの色を変えること、２）フォントを変えること、３）特別のマークを付加すること、４）下線を引くことなどにより、ユーザにとって判別可能になるようにすることができる。分割しなくても十分表示できている場合には、このような表示をしないことで、分割され、他の情報があるか否かを一目で認識することができる。
【００３５】
特に、最近の大型表示パネルを搭載したテレビジョン装置では、画面全体に電子番組表を表示したときに小型のテレビジョン装置に比較して、一行（一番組）に表示する表示面積を大きくできるので、このメリットを生かして上記のように、分割文字列の交互表示・文字サイズの縮小表示・文字表示の複数行表示を行うことが容易である。
【産業上の利用可能性】
【００３６】
本発明は、電子番組表の表示制御装置に利用可能である。
【図面の簡単な説明】
【００３７】
【図１】本発明の実施の形態による電子番組表装置を備えたテレビ受像機の一構成例を示す図である。
【図２】図１に示すテレビ受像機の操作を行うリモコン装置の正面図であり、操作部の一部を説明するための図である。
【図３】番組タイトルの表示方法をリモコン装置により設定する様子を示す図である。
【図４】番組タイトルの表示方法をリモコン装置により設定する様子を示す図である。
【図５】図５は、本発明の第１の実施の形態による電子番組表の表示処理の流れを示すフローチャート図である。
【図６】図６は、本発明の第２の実施の形態による電子番組表の表示処理の流れを示すフローチャート図であり、図５に示すフローチャート図に加えて、分割された番組上方の表示に関する処理を加えたものである。
【図７】図７は、図６に示す処理による具体的な表示例を示す図である。
【図８】従来と本実施の形態とのタイトル表示第１例を示す図である。
【図９】従来と本実施の形態とのタイトル表示第２例を示す図である。
【図１０】本発明の第１実施例によるＥＰＧの表示例を示す図である。
【図１１】従来のＥＰＧ表示の一例を示す図である。
【図１２】先行技術によるＥＰＧ表示の一例を示す図である。
【符号の説明】
【００３８】
１００…テレビ受像機、１０７…分離部、１１０…ＯＳＤ処理部、１２０…不揮発性メモリ、１２３…番組情報処理部。
【図１】
2008017297.tif 000003
【図２】
2008017297.tif 000004
【図３】
2008017297.tif 000005
【図４】
2008017297.tif 000006
【図５】
2008017297.tif 000007
【図６】
2008017297.tif 000008
【図７】
2008017297.tif 000009
【図８】
2008017297.tif 000010
【図９】
2008017297.tif 000011
【図１０】
2008017297.tif 000012
【図１１】
2008017297.tif 000013
【図１２】
2008017297.tif 000014